(57)【要約】【課題】簡易な構造で操作が容易、作業性、安全性に優れ、収納された通信ケーブルの損傷などもない鋼管切断具を提供する。【解決手段】所定の長さの柄部１０の先端に鉤状の切刃２０を形成するとともに切刃２０に間隙を持って対向する一対の支点体３０ａ、ｂを切刃２０の両側に設け、切刃２０と支点体３０ａ、ｂで鋼管端を挟むように挿入し柄部１０を押し下げて鋼管Ｋを軸方向に順次切断するように為した。【選択図】　　　　　図２
2004130446.tif 000002
【特許請求の範囲】
【請求項１】
所定の長さの柄部の先端に鉤状の切刃を形成するとともに該切刃に間隙を持って対向する一対の支点体を該切刃の両側に設け、前記切刃と支点体で鋼管端を挟むように挿入し前記柄部を押し下げて鋼管を軸方向に順次切断するように為したことを特徴とする鋼管切断具。
【請求項２】
細長の平鋼の先端に鉤状の切刃を形成して前記切刃と柄部を一体と為すとともに柄部の両側に前記支点体を溶接して設けた請求項１に記載の鋼管切断具。
【請求項３】
前記平鋼及び支点体がばね鋼材よりなる請求項１または２に記載の鋼管切断具。
【請求項４】
前記柄部を屈曲させた請求項１、２または３に記載の鋼管切断具。
【発明の詳細な説明】
【０００１】
【発明の属する技術分野】
本発明は鋼管の切断具に関し、特に通信ケーブル、電線などの設置、保護の為に用いられる鋼管などをその軸方向に切断、切開するに適した鋼管切断具に関する。
【０００２】
【従来の技術】
光ファイバーケーブル、電話線などの通信ケーブルは鋼管（一般にはＳＡ鋼管が用いられる）の中に収納されて地中に設置され、必要に応じ、地下から分岐された鋼管が電柱に添って立ち上げられ、ケーブルはここから電柱を渡される。このようなケーブル収納鋼管（以下ケーブル管という）は、例えば、電柱への分岐管が破損した場合は破損部分を取り外す必要があり、道路工事、橋梁工事などに際してケーブルの設置経路を変更する場合には、一旦新たにマンホールを設置する必要があり、この際にもケーブル管を剥ぎ取る必要がある。
【０００３】
このような理由でケーブル管を除去する際には、先ずケーブル管の除去する部分の一端を輪切りにして、次いで切断した管端から軸方向に切断、切開し、切開部を円周方向に拡開するとともに、除去する部分の他端を輪切りにして、所定の長さのケーブル管を通信ケーブルから剥がし取る。
【０００４】
従来、ケーブル管を軸方向に切断、切開するに際しては、電動式カッター（円板）砥石、あるいは、超高圧ジェット水切断装置などを使用していたが、装置の取り扱い、切断作業に熟練を要し、また、狭いスペースでの操作が困難である上漏電、負傷など安全性に対する配慮が必要であり、更にはケーブル管内に隙間無く収納されている通信ケーブルを損傷することも多いという問題がある。
【０００５】
さらには、鋼管切断、切開部を押し拡げるための鋼管拡開機（油圧式）の拡開爪を挿入するには切開幅が狭く、予備拡開を行った後に拡開爪を挿入するという二段拡開工程が必要という問題もある。
【０００６】
【発明が解決しようとする課題】
本発明はかかる諸問題に鑑みなされたものであり、簡易な構造で操作が容易で、作業性、安全性に優れ、切断、切開幅が広く、収納された通信ケーブルの損傷なども起こらない鋼管切断具を提供するものである。
【０００７】
【課題を解決するための手段】
本発明の鋼管切断具は、所定の長さの柄部の先端に鉤状の切刃を形成するとともに切刃に間隙を持って対向する一対の支点体を切刃の両側に設け、切刃と支点体で鋼管端を挟むように挿入し柄部を押し下げて鋼管を軸方向に順次切断するように為したことを特徴とする。
【０００８】
これにより、簡易な構造で操作が容易で熟練を要することなく、作業性、安全性に優れ、切断、切開幅が広く、収納された通信ケーブルの損傷なども発生しない、低価格で実用性に優れた鋼管切断具を提供できる。
【０００９】
また、細長の平鋼の先端に鉤状の切刃を形成して切刃と柄部を一体と為すとともに柄部の両側に支点体を溶接して設けたものは、構造簡素で製作が容易であり、平鋼及び支点体がばね鋼材よりなるものは強度、高度が高く、切断、切開性能が高く、柄部を鉤状に曲げたものは狭いスペースにおいても切断作業が可能となる。
【００１０】
【発明の実施の形態】
以下、図面に基づき詳細に説明する。図１は、本発明の鋼管切断具の一実施形態を示す図であり、図１（ａ）は部分破断した正面図、図１（ｂ）はその側面図である。図２は、本発明の鋼管切断具の切断作用を示す模式的説明図であり、図２（ａ）は切断具の装着時、図２（ｂ）は切断時の説明図、図３（ａ）は、本発明の鋼管切断具による鋼管切開部の模式的部分断面図、図３（ｂ）は、本発明の他の実施形態の模式的側面図である。
【００１１】
図１において、ばね鋼材からなる所定の長さの細長の平鋼の柄１１の先端には鉤状の切刃２０が形成される。切刃２０は、柄１１の先端部を凹状に切り落とし形成した鉤部２１の内側を山形に切削した刃先２２を有する。一対の支点体３０ａ、３０ｂは、ばね鋼材からなる平鋼を切り出し、切刃２０の刃先２２に所定の間隙を持って対向する様に柄１１の両側に溶接されている。握り１２は鋼管からなり、柄１１に溶接されている。柄１１及び握り１２が切断具の柄部１０を構成する。
【００１２】
切刃２０の刃先２２と各支点体３０ａ、３０ｂとの間隙Ｇは切断すべき鋼管の肉厚より若干大きめにするが、その大きさは、鋼管の直径、硬さ、材質等により適宜定める。又、刃先２２と各支点体３０ａ、３０ｂとは刃先２２の前端に向かって狭まるような角度を持たせるが、刃先２２と各支点体３０ａ、３０ｂの延長線が形成する挟角αも鋼管の直径、硬さ、材質等により適宜定める。
【００１３】
また、支点体の３０ａ、３０ｂの刃先２２に向かうエッジ３１ａ、３１ｂは後述のように切断時、切開時の支点となるので柄部から掛かるモーメントを切刃２０に有効に伝えるために鋼管外面に噛み込み、スリップしないように鋭いエッジであることが望ましく、この観点からその硬度は切断する鋼管より高いほうが好ましい。
【００１４】
次に、本発明の鋼管切断具の使用について説明する。図２は、本発明の鋼管切断具による切断方法を説明する模式図である。鋼管を軸方向に切断、切開する際は、先ず切断具の切刃２０と支点体３０ａ，ｂで鋼管Ｋの端部を挟むように挿入し（図２（ａ））、次いで、柄部１０を下方に押し下げる（図２（ｂ））。切刃２０は、支点体の３０ａ、ｂのエッジ３１ａ、ｂを中心に回転して鋼管壁を一ピッチ分（ｐ）切断する。一ピッチ切断すると切断具を元に戻し、再び切刃２０を鋼管の切開端に挿入して柄部１０を押し下げ新たな一ピッチ分を切開する。これを繰り返して所定の長さの鋼管を切断、切開する。
【００１５】
ここに、本発明の切断具は、比較的長大な柄部から力を加えて切刃に伝えるので、梃子の原理により大きな力が切断面にかかり、人力でも鋼管を容易に切断できるのである。また、切断具は簡易な構造で製造も容易で、操作性も簡単であり、作業も熟練を要せず、安全性も高い上にマンホール内など狭いスペースでも作業を行うことが出来る。
【００１６】
また、図３（ａ）（この図は、図２（ｂ）の簡略化したＸ−Ｘ矢視図である）に示すように、一対の支点体３０ａ、ｂとその間に位置する切刃２０で鋼管壁を挟持するようにして切断するので鋼管の切断面が逃げることなく効率よく切断、剪断することが出来、同時に切開面は切刃２０により塑性的に押し広げられるので次工程で鋼管拡開機の爪が容易に挿入でき、一旦拡開爪を入れるための予備的拡開が不要になる。
【００１７】
上述の実施形態においては柄部１０が直線状のものを説明したが、作業スペースが限られている場合は図３（ｂ）に模式的に示すように、先端に切刃２０Ａ、支点体３０Ａ（Ｂ）を有する柄部１０Ａを屈曲させて１０Ｂとし、限られた作業空間でも切断具を使用可能にすることも出来る。図３（ｂ）には、柄部を直角に曲げたものを例示したが、曲げ方は直角に限らず、必要に応じて適宜曲線的に曲げてもよく、また曲げ角も適宜選択する。
【００１８】
以上の実施形態においては、柄部である平鋼に直接鉤状に切刃を形成した。このものは構造が簡易になり強度も高いが、場合によっては、柄部に切刃を溶接して設けてもよく、柄部は平鋼でなく十分な強度があれば、管状、棒状など任意の形態のものを採用でき、柄と握りも別体にする必要は無く、場合によっては一体でも良い。
【００１９】
また、切刃及び支点体の材質は強度、硬度からばね鋼材が望ましいが、切断する鋼管の材質によっては適宜他の材質も使用することが出来る。さらに、一対の支点体間の間隔は切刃の厚さに等しい実施形態を示したが、切刃を中にした支点体間の間隔は、切断する鋼管の直径、厚さ、硬さなどにより適宜選択する。
【００２０】
以上の説明においては本発明の鋼管切断具を通信ケーブルの保護管（ケーブル管）の切断に用いる場合を中心に説明したが、本発明切断具は他の種類の設置された鋼管の切断、切開に用いられることは言うまでも無い。また、本発明の鋼管切断具は人力で使用するが、場合によっては、柄部に油圧動力などの機械力を作用させて使用することもできる。
【００２１】
【発明の効果】
本発明は、所定の長さの柄部の先端に鉤状に切刃を形成するとともに切刃に間隙を持って対向する一対の支点体を切刃の両側に設け、切刃と支点体を鋼管端を挟むように挿入し柄部を押し下げて鋼管を軸方向に順次切断するように為したので、簡易な構造で操作も容易で熟練を要することなく、作業性、安全性に優れ、通信ケーブルの損傷なども発生しない、低価格で実用性に優れた鋼管切断具を提供できる。
【図面の簡単な説明】
【図１】本発明の鋼管切断具の一実施形態を示す図であり、図１（ａ）は部分破断した正面図、図１（ｂ）はその側面図である
【図２】本発明の鋼管切断具の切断作用を示す模式的説明図であり、図２（ａ）は切断具の装着時、図２（ｂ）は切断時の説明図である。
【図３】図３（ａ）は、本発明の鋼管切断具による鋼管切開部の模式的部分断面図で、図２（ｂ）の簡略化したＸ−Ｘ矢視図、図３（ｂ）は、本発明の他の実施形態の模式的側面図である。
【符号の説明】
１０　　柄部
２０　　切刃
３０ａ、ｂ　　支点体
【図１】
2004130446.tif 000003
【図２】
2004130446.tif 000004
【図３】
2004130446.tif 000005